(57)【要約】      （修正有）【課題】軟質管からなる配水管に取付ける際に、軟質管の変形を防止するとともに、ボルト、ナットによりサドルとバンドを結合する作業の作業性を向上できるサドル付き分水栓を提供する。【解決手段】分水栓３が取付けられたサドル５とサドルに対向配置されるバンド２１とをボルト３１とナット３３で結合する。変形防止部材は平板状の取付け部においてバンドのアーム２５の上に載置され、孔がボルトに嵌ることでボルトに取付けられ、上下の押さえ部は配水管の外周に面する。０リングがボルトに嵌り、変形防止部材の取付け部の上に位置する。【選択図】図１
0003181359.tif 000002
【実用新案登録請求の範囲】
【請求項１】
分水栓を備え、配水管の外周の少なくとも一部を囲繞する円弧部と、該円弧部の両端部から左右側方へ延びるアーム部とを供えたサドルと、該サドルに対向して配置され、前記配水管の外周の少なくとも一部を囲繞する円弧部と、該円弧部の両端部から左右側方へ延びるアーム部とを供えたバンドと、前記サドルと前記バンドとを締結するために前記サドルと前記バンドの前記左右のアーム部の互いに対応した位置に形成された孔に前記バンド側から挿通されるボルトと、前記サドル側で前記ボルトに螺合するナットとを備えたサドル付き分水栓において、さらに、弾性材料で作られ、前記バンドの前記アーム部の上に載置される平板状の取付け部と、該取付け部の一側縁部から上下に所望の範囲で伸び、それぞれ前記サドルの円弧部の内周と前記配水管の外周との間及び前記バンドの前記円弧部の内周と前記配水管の外周との間に位置することとなる板状の上側及び下側押さえ部とを備えた変形防止部材と、前記ボルトに、前記変形防止部材の前記取付け部の少なくとも一部分を前記バンドの前記アーム部との間で挟むように取付けられる保持部材とを備えていることを特徴とする、サドル付き分水栓。
【請求項２】
請求項１記載のサドル付き分水栓において、前記保持部材は、前記ボルトに嵌められるOリングであることを特徴とする、サドル付き分水栓。
【請求項３】
請求項１記載のサドル付き分水栓において、前記保持部材は前記ボルトに螺合するナットであることを特徴とする、サドル付き分水栓。
【請求項４】
請求項１乃至３のいずれか１に記載のサドル付き分水栓において、前記変形防止部材の前記上側押さえ部は、その先端が、前記取り付け部と反対側へ僅かに変位していることを特徴とする、サドル付き分水栓。
【請求項５】
請求項４におけるサドル付き分水栓において、前記上側押さえ部は、湾曲していることを特徴とする、サドル付き分水栓。
【請求項６】
請求項４に記載のサドル付き分水栓において、前記上側押さえ部は、略直線的に傾いていることを特徴とする、サドル付き分水栓。
【請求項７】
請求項１乃至６のいずれか１に記載のサドル付き分水栓において、前記バンドの前記円弧部の前記アーム部へ繋がる縁部の内周には浅い溝が形成され、前記変形防止部材は、前記下側押さえ部が少なくとも部分的に前記溝内に嵌ることにより位置決めされることを特徴とする、サドル付き分水栓。
【考案の詳細な説明】
【技術分野】
【０００１】
本願考案は水道の軟質管からなる配水管に使用するサドル付き分水栓に関する。さらに詳細に言えば、分水栓を軟質管に取付けるためにサドルとバンドとを締結する際に軟質管が変形してはみ出すのを防止することのできるサドル付き分水栓に関する。
【背景技術】
【０００２】
水道の主管たる配水管から各戸への分水管へ分水するためにサドル付き分水栓が使用されている。このサドル付き分水栓は、分水栓が取り付けられるサドルとベルトとで配水管を挟み、サドルとベルトとをボルト、ナットで締結する構造になっているが、配水管が例えばポリエチレン管などの軟質管である場合、そのサドルとベルトとを締結する際に軟質管が変形してサドルとバンドのアーム部の間に挟み込まれて、損傷してしまう場合がある。これに対応するものとして、例えば実用新案登録第３０４１２３９号には下部サドルに取付け位置を支点として開閉自在な一対のヨークを取り付けた構成が示されている。
【０００３】
ところで、上記実用新案登録の構成では、ヨークを下部サドルの左右に突き出たフランジ部にそれぞれ両側において取付け軸を用いて取付ける構造となっており、その取り付けに手間がかかる。また、一般にサドルとバンドを締結する作業は狭い場所で行われ、その作業性に鑑みて下側からボルトを通して上側でナットを締付ける構成となっており、その際にはボルトが落下しないように保持していなければならず、手間がかかる。
【先行技術文献】
【特許文献】
【０００４】
【特許文献１】実用新案登録第３０４１２３９号公報
【考案の概要】
【考案が解決しようとする課題】
【０００５】
本願考案は上記従来の問題点に鑑みなされてものであり、配水管である軟質管のはみ出しを防止する部材の取り付けを簡単にすると共に、締結に使用するボルトを事前にバンドに脱落しないように組付けておくことを可能にして、締結作業の作業性を向上できるサドル付き分水栓を提供することをその課題とする。
【課題を解決するための手段】
【０００６】
上記課題を解決するために本願の考案は以下のサドル付き分水栓を提供する。すなわちそのサドル付き分水栓は、分水栓を備え、配水管の外周の少なくとも一部を囲繞する円弧部と、該円弧部の両端部から左右側方へ延びるアーム部とを供えたサドルと、該サドルに対向して配置され、前記配水管の外周の少なくとも一部を囲繞する円弧部と、該円弧部の両端部から左右側方へ延びるアーム部とを供えたバンドと、前記サドルと前記バンドとを締結するために前記サドルと前記バンドの前記左右のアーム部の互いに対応した位置に形成された孔に前記バンド側から挿通されるボルトと、前記サドル側で前記ボルトに螺合するナットとを備えたサドル付き分水栓であり、さらに、弾性材料で作られ、前記バンドの前記アーム部の上に載置される平板状の取付け部と、該取付け部の一側縁部から上下に所望の範囲で伸び、それぞれ前記サドルの円弧部の内周と前記配水管の外周との間及び前記バンドの前記円弧部の内周と前記配水管の外周との間に位置することとなる板状の上側及び下側押さえ部とを備えた変形防止部材と、前記ボルトに、前記変形防止部材の前記取付け部の少なくとも一部分を前記アーム部との間で挟むように取付けられる保持部材とを備えている。
上記のサドル付き分水栓において、前記保持部材は、前記ボルトに嵌められるOリングとすることができる。
上記のサドル付き分水栓において、前記保持部材は、前記Oリングに代えて、前記ボルトに螺合するナットとすることができる。
上記のサドル付き分水栓において、前記変形防止部材の前記上側押さえ部は、その先端が、前記取り付け部と反対側へ僅かに変位している構成を採用できる。
上記サドル付き分水栓において、前記上側押さえ部は湾曲しており、それによって先端が取付け部と反対側へわずかに変位するようにできる。
上記サドル付き分水栓において、前記上側押さえ部は、湾曲するのに代えて、略直線的に傾くように形成しても良い。
上記サドル付き分水栓において、前記バンドの前記円弧部の前記アーム部へ繋がる縁部の内周には浅い溝が形成され、前記変形防止部材は、前記下側押さえ部が少なくとも部分的に前記溝内に嵌ることにより位置決することができる。
【考案の効果】
【０００７】
上記のとおり、本考案におけるサドル付き分水栓においては、弾性材料で作られ、バンドのアーム部の上に載置され、ボルトと係合する平板状の取付け部と、該取付け部の一側縁部から上下に所望の範囲で伸び、それぞれサドルの円弧部の内周と配水管の外周との間及びバンドの円弧部の内周と配水管の外周との間に位置することとなる板状の上側及び下側押さえ部とを備えた変形防止部材と、そのボルトに、変形防止部材の取付け部の少なくとも一部分をバンドのアーム部との間で挟むように取付けられる保持部材とを備えている。これにより、変形防止部材は例えば取付け部に孔を設けてこの孔にボルトを通すことにより簡単にバンドに取り付けることができる。また、例えばOリングなどをボルトに嵌めて、このOリングとバンドのアーム部とで変形防止部材の取付け部を挟むようにすることにより、サドルとバンドを結合する前に、バンドに変形防止部材とボルトを組付け、その組み付けた状態を維持することができるので、サドルとバンドとの結合作業の作業性がきわめて優れたものとなり、従来例に比してきわめて効率的になる。
【図面の簡単な説明】
【０００８】
【図１】本願の実施の形態に係るサドル付き分水栓の一部を切欠いた正面図である。
【図２】図１のA部の拡大断面図である。
【図３】変形防止部材の図で、（A）は正面図、（B）は左側半部分の平面図、（C）は側面図である。
【考案を実施するための形態】
【０００９】
以下に図面を参照して本願考案の実施の形態について説明する。図１は本願考案の実施の形態に係るサドル付き分水栓の一部を切欠いて示す正面図、図２は図１のA部の拡大断面図、図３はこの実施の形態で使用する変形防止部材の図で、（A）は正面図、（B）は左側半部分の平面図、（C）は側面図である。
【００１０】
サドル付き分水栓１は、公知のとおり分水栓３がサドル５の栓取付け部７に取付けられ、サドル５の円弧部９と下側に配置されるバンド２１の円弧部２３とで配水管（軟質管）（図示せず）を間に挟み込み、サドル５とバンド２１とは、サドル５の左右に設けられるアーム部１１とバンド２１の左右に設けられるアーム部２５との部分でボルト３１とナット３３を用いて結合されるようになっている。
【００１１】
サドル５のアーム部１１とバンド２１のアーム部２５にはそれぞれボルト３１を通す孔１３と２７が明いており、ボルト３１は下側すなわちバンド２１側から上向きに挿通され、上側すなわちサドル５側においてナット３３が取り付けられて締付けられ、配水管を挟んだ状態で配水管に取り付けられる。符合３４は座金である。
【００１２】
符合４１は配水管（軟質管）の変形を防止するための変形防止部材である。変形防止部材４１は図３に詳細に示されるように金属など弾性を有する薄い平板で形成されている。図３（A）は正面図、（B）は側面図、（C）は平面図である。なお変形防止部材４１は正面図（A）で見て左右対称に形成され、（C）の平面図では右側半分は省略されている。
【００１３】
変形防止部材４１は大略３つの部分で構成されている。符合４３は平板状で左右に長く伸び（略サドル５とバンド２１の幅に相当する長さ）、図３（A）で見て左右方向中央部に突出部４５を備えた取付け部で、その突出部４５には孔４７が形成されている。符合４９は下側押さえ部で、取付け部４１の端部から取付け部４１側へ僅かに凸となるように湾曲して上方へ延びている。符合５１は上側押さえ部４９とは反対側へ延びる下側押さえ部である。下側押さえ部５１は上側押さえ部４９より短く、図から判るとおり、上側押さえ部４９の左右方向中央部分を反対方向へ、取付け部４３に略直角に切り起して形成されている。この変形防止部材４１は左右対称に形成されており、サドル５の左右両側で同じものが使用されている。
【００１４】
次にこのサドル分水栓の取付け方について説明する。図１、２は図示を省略された配水管を挟んでサドル５とバンド２１とがボルト３１、ナット３３で締結された状態を示しているが、バンド２１と変形防止部材４１と、ボルト３１とは図に示された状態に事前に組み付けておく。すなわち、バンド２１のアーム部２５に形成された孔２７に下側からボルト３１を通し、そのボルト３１に変形防止部材４１の孔４７を嵌めて取付け部４３をバンド２１のアーム部２５の上に載置する。そして保持部材としてのOリング６１をボルト３１のネジが刻まれていないシャンク部３２に嵌めて変形防止部材４１の上に配置する。Oリング６１の内径はシャンク部３２の外径より小さく、Oリング６１は弾性的に伸びた状態でシャンク部３２に嵌るので、変形防止部材４１とボルト３１とを図示の状態に保つことができる。このとき、変形防止部材４１の下側押さえ部５１が、配水管とサドル５、バンド２１との間の滑り止め用にバンド２１の内周に形成された浅い溝２９のうちの円弧部２３の端部に形成された溝２９aに図示のように嵌り、変形防止部材４１の位置決めを行う。すなわち、下側押さえ部５１の左右方向での幅Lが、図２で紙面に垂直方向での溝２９aの幅に対して僅かに小さい寸法となっている。
【００１５】
このようにバンド２１に変形防止部材４１とボルト３１とを組み付けた状態で、バンド２１を配水管に対して下側から宛がい、バンド２１の円弧部２３を配水管の下側の部分に当接させる。この際、変形防止部材４１の上側押さえ部４９は湾曲しながら上方へ伸びているので、配水管に対して相対的に上側へ移動する途中でその先端５０が配水管の下側部分に当たり、それ以後は弾性変形によりその先端５０が配水管の外周に添いながら開いて再び閉じる方向へ移動し、最終的に配管の外周に上側押さえ部４９の全体がぴったりと嵌り込む。次いで上側からサドル５を取り付ける。すなわち、サドル５の孔１３にボルト３１を挿通させ、ナット３３で締付ける。この際、Oリング６１の作用により変形防止部材４１は取付け部４３がバンド２１のアーム部２５上に載置された状態で位置決めして保持されており、ボルト３１もやはりOリングの作用によって抜け止めされて図示の状態で保持されており、作業者が下側で保持していなくても落下することがないので、サドル５の取付け、その後のナット３３の締付け作業が容易に行え、きわめて作業性に優れることとなる。
【００１６】
なお、上記の例では上側押さえ部４９を湾曲させているが、同じ方向へ直線的に僅かに傾いた形状としても良い。いずれにしても、上側押さえ部４９の先端５０が配水管の外周に添いながら移動するようにしておくとよい。これにより、サドルを上側に被せる際に、上側押さえ部材の先端がサドルに引っ掛かり、変形したりすることが防止できる。また、上記の例では保持部材としてOリングを使用したが、例えばボルトのネジ部をもっと頭に近い位置まで形成し、それにナットを螺合させるようにしても良い。また、変形防止部材４１の取付け部４３にボルト３１が嵌る孔４７を設けたが、この孔に代えて取付け部の端部から内方へ伸びる切欠であってもよい。この場合には、先にOリングをボルトに取り付けておき、Oリングとアームとの間に取付け部を差し込むようにして変形防止部材を取り付ければ作業が簡単である。上記説明から判るとおり、取付け状態を維持できる限り、取付け部を部分的にでも保持部材とアームとで挟むようにすればよく、取付け部全体を挟む必要はない。
【図１】
0003181359.tif 000003
【図２】
0003181359.tif 000004
【図３】
0003181359.tif 000005